(57)【要約】      （修正有）【課題】車両オーディオシステムとスマートホンとの連係動作を可能とする。【解決手段】車両エンタテイメントシステム４１は、メディア・プレーヤ４０と、マスタ・ユニット１と、スレーブ・ユニット２とマスタ・ユニットの動作を制御するスマート・デバイス５、６と、スレーブ・ユニット２とを有する。メディア・プレーヤに置かれたメディアは、再生され、マスタ・ユニットとスレーブ・ユニットとの間でシェアされることができる。メディアは、後で再生されるために記憶デバイスに格納されることができる。メディアコンテンツは、マス・ユニットとスレーブ・ユニットとの間で、ケーブル又は無線通信を介してシェアされることができる。【選択図】図２
2014099840.tif 000002
【特許請求の範囲】
【請求項１】
マスタ・ユニットと、
メディア・プレーヤと、
前記マスタ・ユニットにインストールされたオペレーティング・システムと、
前記マスタ・ユニット及び前記メディア・プレーヤの動作を制御するアプリケーション・プログラムとを有し、
前記メディア・プレーヤのビデオ信号が前記マスタ・ユニットに送られる、ビデオシステム。
【請求項２】
前記メディア・プレーヤは、前記マスタ・ユニットに備えられている、請求項１記載のビデオシステム。
【請求項３】
少なくとも１つのスレーブ・ユニットを更に有し、
少なくとも１つのスレーブ・ユニットは、無線又は有線により前記マスタ・ユニットと接続される、請求項２記載のビデオシステム。
【請求項４】
少なくとも１つのスマート・デバイスを更に有する、請求項３記載のビデオシステム。
【請求項５】
少なくとも１つのコマンドを前記マスタ・ユニットに入力することにより、ユーザは、前記メディア・プレーヤをコントロールすることができ、少なくとも１つのコマンドは、前記アプリケーション・プログラムにより前記メディア・プレーヤに送信される、請求項４記載のビデオシステム。
【請求項６】
前記マスタ・ユニットは、車両の座席のヘッド・ユニット部分に搭載されている、請求項３記載のビデオシステム。
【請求項７】
前記オペレーティング・システムは、アンドロイド（Ａｎｄｒｏｉｄ）・オペレーティング・システム、ウィンドウズ（Ｗｉｎｄｏｗｓ）（登録商標）・オペレーティング・システム、ユニックス（Ｕｎｉｘ）（登録商標）・オペレーティング・システム及びマック（Ｍａｃ）・オペレーティング・システムからなるグループから選択される、請求項３記載のビデオシステム。
【請求項８】
前記スレーブ・ユニットは、ユーザから入力されるコマンドにより、当該スレーブ・ユニットをオン・オフし、当該スレーブ・ユニットで再生されるオーディオの音量を増減することができる、請求項３記載のビデオシステム。
【請求項９】
前記スマート・デバイスは、前記マスタ・ユニット及び前記スレーブ・ユニットの動作をコントロールすることができる、請求項４記載のビデオシステム。
【請求項１０】
前記メディア・プレーヤで再生されるメディアは、前記スレーブ・ユニット及び前記スマート・デバイスで見ることができる、請求項４記載のビデオシステム。
【請求項１１】
前記スマート・デバイスは、スマート・フォン又はスマート・タブレット・デバイスからなるグループから選択される、請求項３記載のビデオシステム。
【請求項１２】
前記スマート・デバイスは、ビデオ・ディスプレイを有する、請求項３記載のビデオシステム。
【請求項１３】
前記スマート・デバイスは、ビデオ・ディスプレイを有さず、デバイス上にコントロールボタンを有する、請求項４記載のスマート・デバイス。
【請求項１４】
前記スマート・デバイスは、タッチパネルを更に有する、請求項４記載のスマート・デバイス。
【請求項１５】
前記スマート・デバイスは、ビデオ・ディスプレイを有さず、その上に配置されたコントロールボタンを有する、請求項４記載のスマート・デバイス。
【請求項１６】
前記スマート・デバイスは、タッチパネルを更に有する、請求項４記載のスマート・デバイス。
【請求項１７】
請求項４に記載のビデオシステムに含まれる前記マスタ・ユニット及びスレーブ・ユニットにおけるビデオ信号の表示方法であって、当該方法は以下を含む：
前記スマート・デバイスからのコマンドを受け取り、
前記コマンドをデコードし、
前記コマンドに応じてビデオ信号を前記スレーブデバイスおよびスマート・デバイスに送り、
音量を含む異なる機能をコントロールし、
次のコマンドが送られるのを待機する。
【請求項１８】
請求項５に記載にアプリケーション・プログラムであって、当該アプリケーション・プログラムは以下のステップを含む：
ユーザ・インタフェースを初期化し、
動的画面を初期化し、イベントのためのリスナーを初期化し、
ビデオ・デコーダのカメラ・サービスを得て、
前記メディア・プレーヤからのアナログビデオ信号を得るためにビデオ・デコーダを動作させディジタルビデオ信号を出力し、
前記ビデオ・デコーダにおいて選ばれたビデオ・メディアに電源を切り替え、
前記ビデオ・デコーダからのディジタルビデオ信号を受け取るために画像処理ユニットを立ち上げ、
前記動的画面に前記ディジタルビデオ信号を送り、前記スクリーンに画面を表示する。
【請求項１９】
請求項１８に記載にアプリケーション・プログラムであって、当該アプリケーション・プログラムは、更に以下のステップを含む：
オーディオ・デコーダを動作させ、
前記メディア・プレーヤからアナログオーディオ信号を取得するために前記オーディオ・デコーダのオーディオに電源を切り替え、
ディジタル・オーディオ信号を出力し、
ディジタル・オーディオ信号を受け取るためにオーディオ処理ユニットを立ち上げ、
出力源に対し適切なフォーマットのオーディオ信号に変換して送信する。
【請求項２０】
請求項１９に記載にアプリケーション・プログラムであって、当該アプリケーション・プログラムは、更に以下のステップを含む：
ボタン又はタッチパネルからユーザのコマンドを受け取り、
カーネル・ドライバに前記ユーザコマンドを送信し、
ユーザコマンドに基づき、前記ビデオ・デコーダを調整するステップを更に有し、
前記ユーザのコマンドは、明るさ、コントラスト、サチレーション、シャープネス及び色相からなるグループから選択されることができる。
【請求項２１】
請求項２０に記載にアプリケーション・プログラムであって、当該アプリケーション・プログラムは、更に以下のステップを含む：
ボタン又はタッチパネルからユーザのコマンドを受け取り、
前記ユーザコマンドをカーネル・ドライバに送信し、
前記ユーザコマンドを前記メディア・プレーヤに送信し、
ユーザコマンドを実行し、
前記ユーザコマンドは、ホーム、再生、一時停止、停止、取り出し、次進む、及び前に戻る、から成るグループから選択されることができる。
【発明の詳細な説明】
【技術分野】
【０００１】
本発明は、ビデオシステム、マスタ・ユニット及びスレーブ・ユニットにビデオ信号を表示する方法、及びアプリケーション・プログラムに関する。
【０００２】
スマート・デバイス（Ｓｍａｒｔ  ｄｅｖｉｃｅｓ）は、その動作をコントロールするためにオペレーティング・システムを使用する。アプリケーションが発達し、スマート・デバイスが異なる機能を実行することを可能にしている。これらのアプリケーション・プログラムは、オペレーティング・システム環境の範囲内で動作する。スマート・デバイスのオペレーティング・システムの一例として、Ａｎｄｒｏｉｄとして知られているオペレーティング・システムがある。車両システムにおいて、スマート・フォン又はスマート・タブレットのようなスマート・デバイスを有するドライバーと乗客は、これらの高性能なモバイル機器により提供される豊富なコンテンツを使用することができる。車両の乗客がＤＶＤを見たり、ＣＤを聞きたいとき、乗客はこれらの装置でそれをすることができない。
【発明の概要】
【発明が解決しようとする課題】
【０００３】
ＤＶＤ、ＣＤ及びブルーレイディスクは、過去１０年の間で、世界中で著しい需要量に達している。これらの記憶媒体は、大量の情報、音楽及び映画を保存することができる。これらの記憶媒体は、ＤＶＤ、ＣＤまたはブルーレイ・メディアを受け入れることができるＤＶＤ、ＣＤ及びブルーレイデバイススロットを有するデバイスで再生することができる。現在のスマート・デバイスは、これらのメディアの再生を受け入れるためのＤＶＤ、ＣＤ又ブルーレイスロットを有していない。たとえシステムがＤＶＤ又はＣＤを再生することができたとしても、車で旅行している間、家族が直面する一般的な問題をまだ解決できない。両親が前部座席で乗って、幼い子供が後部座席で乗ることは一般的である。親は、子供たちが何を見て、それを聞くかを監視したいということはよくあることである。言い換えると、両親は、後ろに乗っている子供達が利用しているコンテンツを管理したい。この問題は、特に大家族が長期間の旅行をする際に顕著になる。
【課題を解決するための手段】
【０００４】
本発明は、車両システムにおいて使用されるオペレーティング・システムと、ＤＶＤプレーヤ、ＣＤプレーヤ、ブルーレイディスクプレーヤ、又はコンボ・プレーヤとを統合するものである。より具体的には、車両システムにおいて使用されるオペレーティング・システムと、ＤＶＤプレーヤ、ＣＤプレーヤ、ブルーレイディスクプレーヤ、又はコンボ・プレーヤとを統合するものである。
【０００５】
一態様においては、システムは、共通の筐体に格納されるパネル及びプレーヤを有する。他の手段としては、パネルとプレーヤは、物理的に別体とすることも可能であり、その場合は、物理的に別体の筐体に格納され、有線又は無線で接続されるようにすることもできる。使用されるオペレーティング・システムとオペレーティング・システムは、例えば市場におけるスマート・デバイスによって使用されるＡｎｄｒｏｉｄ、ｉＯＳ、又はＷｉｎｄｏｗｓ（登録商標）等のいかなる一般的なオペレーティング・システムも使用することができる。発明者等は、物理的なプレーヤをインターフェースし、制御するアルゴリズムに基づきアプリケーション・プログラムを開発した。
【０００６】
通常の使用の場合は、ユーザがＤＶＤをプレーヤにセットし、システムがＤＶＤを再生する。視聴者は、プレーヤをストップしたり、早送りしたり等のコントロールすることができる。
【０００７】
他の使用例としては、ユーザがＣＤをセットし、システムがＣＤを再生する。ユーザは、ＣＤを停止したり、次の曲を再生したりすることができる。
【０００８】
他の態様としては、通常は、前座席のユーザのみがアクセスできるヘッドユニットコンパートメントにインストールされたオペレーティング・システムを有するマスタ・ユニットがある。そして、スレーブ・ユニットは、後部座席の乗客のためにヘッドレストの裏側にインストールされている。１つのマスタ・ユニットと１つ以上のスレーブ・ユニットを設けることができる。マスタ・ユニットとスレーブ・ユニットは、有線又は無線により接続される。マルチメディア・プレイヤーは、マスタ・ユニットのみにインストールされる。前座席の乗客は、システムで再生されるＤＶＤ、ＣＤ又はブルーレイのメディアを管理することができる。スレーブ・ユニットは、コンテンツを見たり聞いたりすることのみができ、コントロールすることができない。しかし、後部座席のユーザも、スレーブ・ユニットのスクリーンのオン・オフをしたり、音量を調整したりすることはできる。
【０００９】
さらに他の態様においては、マスタ・ユニットと複数のスレーブ・ユニットが、車両に取り付けられる。少なくとも１台のスマート・デバイスが車両に存在する。マスタ・ユニットとスレーブ・ユニットは、有線又は無線でつながれる。マルチメディア・プレイヤーは、マスタ・ユニットのみに取り付けられる。スマート・デバイスは、マスタ・ユニット及びスレーブ・ユニットの動作をコントロールすることができる。さらに、マスタ・ユニットで再生されるメディアは、スレーブ・ユニット又はスマート・デバイスで視聴することができる。マスタ・ユニット、スレーブ・ユニット、及びスマート・デバイスにおいて、オペレーティング・システムを修正することにより、メディアのインターフェース及び交換を行うことができる。
【図面の簡単な説明】
【００１０】
本発明の特徴及び利点は、以下の本発明の実施の形態のより詳細な説明及び添付の図面に示される；
【図１】図１は、マスタ・ユニット、メディア・ドライバ、及びスマート・デバイスのシステム構成を示す図である。
【図２】図２は、マスタ・ユニット、複数のスレーブ・ユニット、及び複数のスマート・ユニットのシステム構成を示す図である。
【図３】図３は、マスタ・ユニットがスレーブ・ユニットにおいてビデオを再生するための制御方法を示すフローチャートである。
【図４Ａ】図４Ａは、ユーザからのコマンドに基づきＤＶＤ、ブルーレイ又は他のメディアを再生するために使用されるアルゴリズムを示す図である。
【図４Ｂ】図４Ｂは、ユーザからのコマンドに基づきＤＶＤ、ブルーレイ又は他のメディアを再生するために使用されるアルゴリズムを示す図である。
【発明を実施するための形態】
【００１１】
発明の実施の形態は、図１に示される。マスタ・ユニット５０は、いくつかの機能を実行するためにインストールされたオペレーティング・システムを有するディスプレイ・ユニット又はスマート・デバイスである。これらの機能には、ＤＶＤメディア、ＣＤメディア、又はブルーレイ・メディアの再生は含まれない。メディア・プレーヤ５１は、ＤＶＤドライブ、ＣＤドライブ、ブルーレイドライブ、又はこれらのドライブの組合せを有するユニットである。メディア・ドライブ５１とマスタ・ユニット５０との間の接続５３は、マスタ・ユニット５０とメディア・プレーヤ５１との間で、ビデオ信号、オーディオ信号及び制御信号をやり取りする。メディア・プレーヤ５１はマスタ・ユニット５０の近くに配置することができ、あるいは、メディア・プレーヤ５１は、遠く離れた場所に配置することができる。マスタ・ユニット５０とメディア・プレーヤ５１が車両で使われる場合、マスタ・ユニット５０とメディア・プレーヤ５１は、互いに隣り合わせで配置することもできるし、又は互いに離れて配置することもできる。車内で、ユーザが望む場合に、メディアを交換することが容易になるようメディア・プレーヤ５１に極めて容易にアクセスできるような場所に配置されることが好ましい。
【００１２】
本発明の他の実施の形態にかかるメディア・プレーヤ５１及びマスタ・ユニット５０は、１つの装置に結合される。マスタ・ユニット５０がメディア・プレーヤ５１と結合されるとき、接続ワイヤー５３がマスタ・ユニット５０に内蔵される。ユーザが車内で、メディアを挿入したり、取り出したりするためにアクセスするのが容易な場所に、結合ユニットは配置することができる。
【００１３】
上述の実施の形態において、マスタ・ユニット５０は、メディア・プレーヤ５１から送られるビデオ信号を表示するディスプレイ５４を有する。マスタ・ユニット５０は、また複数のコントロールボタンを有する。ユーザは、マスタ・ユニット５０の動作を制御すために、ボタン５５を押すことができる。ユーザがボタン５５を用いてマスタ・ユニット５０にコマンドを送ると、マスタ・ユニット５０は、制御ライン５３を介してメディア・プレーヤ５１と通信する。メディア・プレーヤ５１がマスタ・ユニット５０からコマンドを受け取ると、受け取ったコマンドに基づき異なる動作を実行する。コマンドが再生コマンドであれば、メディア・プレーヤ５１はメディアの再生を開始し、ビデオ及びオーディオ信号をマスタ・ユニット５０に送る。マスタ・ユニット５０は、ディスプレイ・ユニット５４でビデオ信号を表示する。
【００１４】
他の実施の形態において、ディスプレイ・ユニット５４は、タッチコントロール能力を有しており、ユーザは、ディスプレイ・ユニット５４をタッチすることで、マスタ・ユニット５０に対しコマンドを入力することができる。この場合、ボタン５５を有している必要はない。
【００１５】
他の実施の形態においては、マスタ・ユニット５０とメディア・プレーヤ５２は、スマート・デバイス５６により制御される。スマート・デバイス５６は、プログラムにより、多くの異なる機能を事項することができるデバイスである。たとえば、スマート・デバイス５６は、スマート・フォン又はスマート・タブレット・デバイスとすることができる。スマート・デバイス５６は、ディスプレイ５９を有していても有していなくてもよい。スマート・デバイス５６がディスプレイ５９を有していない場合、スマート・デバイス５６はマスタ・ユニット５０に対しコマンドを送るボタンを有する。スマート・デバイス５６がディスプレイ５９を有する場合、ディスプレイ５９に組み込まれているタッチスクリーン５８を使用しディスプレイからマスタ・ユニット５０に対してコマンドを入力することができる。ユーザは、ボタン５５を使用するか又はスマート・デバイス５６を使用してマスタ・ユニット５０をコントロールするかを選択することができる。マスタ・ユニット５０とスマート・デバイス５６との間の接続は、有線でも無線５７でもよい。無線接続５７は、例えばＢｌｕｅｔｏｏｔｈ（登録商標）、無線周波数接続、赤外線コネクション、ＷＩＦＩ接続、又は他の適切な方法により、スマート・デバイス５６からコマンド信号を伝えるためのどのような接続チャンネルであってもよい。マスタ・ユニット５０とスマート・デバイス５６間の接続は、双方向接続チャンネルである。スマート・デバイス５６は、マスタ・ユニット５０及びメディア・プレーヤ５１の動作を制御するための制御信号をマスタ・ユニット５０に送ることができる。スマート・デバイス５６を使っているユーザが、スマート・デバイス５６にビデオを表示させるためにスマート・デバイス５６がマスタ・ユニット５０にコマンドを送ると、マスタ・ユニット５０はスマート・デバイス５６に通信チャンネル５７を介してビデオ信号を送る。スマート・デバイス５６は、スマート・デバイス５６のディスプレイ５９に、マスタ・ユニット５０から送られるビデオ信号を表示する。このように、スマート・デバイス５６はマスタ・ユニット５０にコマンドを送ることができて、スマート・デバイス５６のディスプレイ５９にビデオ信号を表示することができる。スマート・デバイス５６は、コマンドのみを送ることもでき、又はビデオだけを表示することができて、又は同時にこれらの制御機能と表示機能の両方を実施することも可能である。
【００１６】
図２は、本発明の他の実施の形態を示す。この実施の形態においては、マスタ・ユニット１とスレーブ・ユニット２、３及び４の例について説明する。図２には、３つのスレーブ・ユニットを示す。なお、スレーブ・ユニットの数に上限はない。図２に示すシステムは、さらにスマート・デバイス５及び６を有する。２つのスマート・デバイスのみ、図２に示すが、スマート・デバイスは１以上とすることができる。マスタ・ユニット１は、図１に示すユニット５０と同様である。システム４１は、更にメディア・プレーヤ４０を有する。メディア・プレーヤ４０は、ＤＶＤドライブ１５、ＣＤドライブ１６、又はブルーレイドライブ１７のいずれか１以上を有する。メディア・プレーヤ４０は、これらのドライブのどのような組合せを有していてもよい。図２において、マスタ・ユニット１とメディア・プレーヤ４０は、２つの別々のユニットとして示す。他の実施の形態においては、マスタ・ユニット１とメディア・プレーヤ４０は、１つのユニットとして結合されたものとすることができる。スレーブ・ユニット２、３及び４は、ディスプレイ・ユニットを有し、それぞれ通信リンク１２、１３、及び１４を介してマスタ・ユニット１と通信する。これらの通信リンク１２、１３及び１４は、無線又は有線の通信リンクとすることができる。これらの通信リンクは、ビデオ信号、オーディオ信号及び制御信号を含む。これらが無線リンクの場合、Ｂｌｕｅｔｏｏｔｈ（登録商標）技術、無線周波数技術、赤外線技術、ＷＩＦＩ接続、又は他のどの現在又は潜在的無線技術のいずれの無線技術を適用してもよい。スマート・デバイス５及び６は、当該デバイス上で動作するソフトウェア・プログラムを有し、また、ディスプレイデバイスを有していても、いなくてもよい。スマート・デバイス５及び６は、通信チャンネル８及び９を介して、マスタ・ユニット１と通信する。スマート・デバイス５は、スレーブ・ユニット２、３及び４と、通信チャンネル７、１９及び６０を介して通信する。スマート・デバイス６は、スレーブ・ユニット２、３及び４と通信チャンネル１８、１０及び１１を介して通信する。通信リンク７、１９、６０、１８、１０及び１１は、無線又は有線の通信リンクとすることができる。これらの通信リンクは、ビデオ信号、オーディオ信号及び制御信号を含む。これらが無線リンクの場合、Ｂｌｕｅｔｏｏｔｈ（登録商標）技術、無線周波数技術、赤外線技術、ＷＩＦＩ接続、又は他のどの現在又は潜在的無線技術のいずれの無線技術を適用してもよい。この実施の形態においては、スマート・デバイス５及び６のいずれがマスタ・ユニット１、並びにスレーブ・ユニット２、３及び４の動作を制御してもよい。例えば、スマート・デバイス５が、メディア・プレーヤ４０にセットされたメディアを再生するようマスタ・ユニット１にコマンドを送信することができる。スマート・デバイス５は、マスタ・ユニット１に対し、スレーブ・ユニット２に映像信号を送るように指示する他のコマンドを送信することができる。スマート・デバイス５は、マスタ・ユニット１に命令を送り、スマート・デバイス５にビデオ信号を送るよう指示することができる。スマート・デバイス５を扱うユーザは、スマート・デバイス５のディスプレイデバイスでビデオを視聴することができる。この構成で可能である多くの命令の組合せがある。スマート・デバイス５及び６がマスタ・ユニット１に矛盾する命令を送ると、マスタ・ユニット１は、いずれのスマート・デバイスから受け取ったコマンドの中で最も新しいコマンドを実行する。
【００１７】
図３は、マスタ・ユニット１による、スマート・デバイス５及び６から受け取ったコマンドの処理方法を示す他の実施の形態を示す。図３のステップ３０において、ユーザは、スマート・デバイス５若しくは６、又はマスタ・ユニット５０にコマンドを入力する。コマンドはマスタ・ユニット１に送られ、処理される。ステップ３１において、スマート・デバイス５若しくは６から送られたコマンド、又はマスタ・ユニット５０に入力されたコマンドが処理される。スマート・デバイス５若しくは６から送られたコマンド、又はマスタ・ユニット５０に入力されたコマンドがメディア・プレーヤコマンドであるならば、コマンドはステップ２２においてメディア・プレーヤに送られる。ステップ２１の命令がメディア・プレーヤコマンドでない場合、他の機能支配動作がステップ３４で実行される。ステップ２３で、メディア・プレーヤ４０はコマンドを実行し、ビデオ・デコーダにビデオ信号を送る。ステップ２４で、ビデオ・デコーダは、パネルに信号を出力する。ステップ３２で、マスタ・ユニット１は、スレーブ・ユニット２、３若しくは４、又はこれらの組合せの１つに、ビデオ信号を送る。ステップ３３で、マスタ・ユニット１は、更にスマート・デバイス５若しくは６、又はこれらの組み合わせにビデオ信号を送ってもよい。マスタ・ユニット１によるビデオ信号の分配は、スマート・デバイス５若しくは６から受け取ったコマンド信号、又はマスタ・ユニット１に入力されたコマンドに依存する。ステップ３６で、システムは、次のコマンドを待つ。
【００１８】
図４は、ユーザから受け取ったコマンドに基づきＤＶＤ、ブルーレイ又は他のビデオ・メディアを再生する際に使用されるアルゴリズムを示す。ステップ６０で、システムはユーザ・インタフェースを初期化する。ステップ６１で、システムは、動的画面（ｄｙｎａｍｉｃ  ｓｕｒｆａｃｅ  ｖｉｅｗ）を初期化して、更にキー及びタッチパネルを含むイベントのためのリスナーを初期化する（図Ａにおいてスペルミス）。ステップ６２で、システムは、ビデオ・デコーダのカメラ・サービスを受け取る。ステップ６４で、ビデオ・デコーダは、メディア・プレーヤからアナログビデオ信号を受け取る。このアナログビデオ信号は、ＣＶＢＳまたはＹＣと呼ばれる。システムは、アナログのビデオ信号入力に基づいてディジタルビデオ信号を出力する。このデジタル映像信号は、ＢＴ６５６と呼ばれる。ステップ６６で、電源は、ビデオ・デコーダにおける選ばれたビデオ・メディアに切り替えられる。ステップ６８で、画像処理ユニットは、ビデオ・デコーダからディジタルビデオ信号を受け取るために立ち上げられる。立ち上げ手段が開始する。ステップ７０で、システムはスクリーンのダイナミックビュー及びディスプレイビューにディジタルビデオ信号を送る。
【００１９】
ステップ６３で、オーディオ・デコーダは、動作の実行を開始する。ステップ６５で、メディア・プレーヤからアナログオーディオ信号を受け取り、ディジタル・オーディオ信号を出力するために、電源がオーディオ・デコーダのオーディオに切り替えられる。ステップ６７で、オーディオ処理ユニットは、ディジタル・オーディオ信号を受け取るために立ち上げられる。立ち上げ手段が開始する。ステップ６９で、システムは、出力源に出力するために、オーディオ信号を適当なフォーマットに変換して送る。出力源は、イヤホン、スピーカー、Ｂｌｕｅｔｏｏｔｈ（登録商標）、又はユーザによって選ばれた他のどの適当な出力装置でもよい。
【００２０】
ステップ７１で、ユーザはオーディオを視聴する。ステップ７２で、ユーザはメニュー・ボタンを押して、明るさ、コントラスト、サチレーション、シャープネス及び色相を選ぶ。ステップ７３で、ビデオ・デコーダのカメラは、カーネルにコマンドを送る。コマンドは、明るさ、コントラスト、サチレーション、シャープネス及び色相のいずれかである。追加のコマンドがあってもよい。ステップ７４で、カーネル・ドライバはコマンドを受け取り、選ばれたコマンドに従い、ビデオ・デコーダの明るさ、コントラスト、サチレーション、シャープネス及び色相を調節する。このコミュニケーションは、Ｉ２Ｃプロトコル、又は他のどの適当なプロトコルを用いて回線により送られる。
【００２１】
ステップ７５で、ユーザは、ホーム、再生、一時停止、停止、取り出し、次又は前へ戻る等のいずれのボタンを押すことができる。ステップ７６で、ＯＳフレームワークは、ホーム、再生、一時停止、停止、取り出し、次又は前へ戻るコマンドの１つをメディア・ローダ・ライブラリを介してカーネルへ送る。ステップ７７で、カーネル・ドライバは、コマンドを受け取り、Ｉ２Ｃプロトコルを用いてメディア・ローダにそのコマンドを送る。プロトコルは、信号を１つのポイントから次のポイントに転送できるプロトコルであればどのようなプロトコルでも使用することができる。
【００２２】
ステップ７８で、ユーザはタッチパネルにタッチする。ステップ７９で、システムはステップ７２及び７５で指定されたコマンドをユーザインターフェーススクリーンに表示する。ステップ８０で、システムは３秒間、入力を待つ。もし、入力が３秒間なかった場合又はコントロールＶＩエリア外をタップしたら、コントロールＶＩはステップ８１で消える。ユーザがＶＩ介してコマンドを入力したら、システムは、そのコマンドに応じてステップ７３又は７６へ進む。
【００２３】
本発明の明細書は、当業者が現在そのベストモードと考えるものを作り又は使用することができると同時に、それらの通常の技術により、これに記載の具体的な実施態様、方法及び実施例のバリエーション、コンビネーション、及びそれらと同等のものの存在を理解し、評価する。したがって、本発明は上述の実施の形態、方法及び実施例のみに限られるものではなく、本発明の精神と範囲内にある全ての実施の形態及び方法も含まれる。
【００２４】
様々な本発明の実施の形態が図示され説明されたが、多数の図示及び説明された特徴及び動作順序のアレンジは、この開示に基づき、当業者により明らかにされるだろう。したがって、様々な変更が本発明の精神及び範囲から逸脱しない範囲で可能であることは明らかである。
【００２５】
排他的な所有権又は特権は本発明において主張され、本発明の実施の形態は、以下の特許請求の範囲に定義される。
【図１】
2014099840.tif 000003
【図２】
2014099840.tif 000004
【図３】
2014099840.tif 000005
【図４Ａ】
2014099840.tif 000006
【図４Ｂ】
2014099840.tif 000007
【手続補正書】
【提出日】平成25年11月13日(2013.11.13)
【手続補正１】
【補正対象書類名】特許請求の範囲
【補正対象項目名】全文
【補正方法】変更
【補正の内容】
【特許請求の範囲】
【請求項１】
マスタ・ユニットと、
複数のスレーブ・ユニットと、
複数のスマート・デバイスと、
メディア・プレーヤと、
前記マスタ・ユニットにインストールされたオペレーティング・システムと、
前記マスタ・ユニット及び前記メディア・プレーヤの動作を制御するアプリケーション・プログラムと、を有し、前記メディア・プレーヤのビデオ信号が前記マスタ・ユニットに送られ、
前記複数のスレーブ・ユニットは、無線又は有線により前記マスタ・ユニット及び前記複数のスマート・デバイスのいずれかと直接に接続され、
前記複数のスマート・デバイスは、無線又は有線により前記マスタ・ユニット及び前記複数のスレーブ・ユニットのいずれかと直接に接続され、
前記メディア・プレーヤは、前記マスタ・ユニット内に存在し、
車両内に搭載されている車両ビデオシステムであって、
前記スマート・デバイスは、前記マスタ・ユニットから入力されるビデオコンテンツを表示可能であり、
前記スマート・デバイスは、前記マスタ・ユニット及び前記スレーブ・ユニットの動作を制御し、
前記スマート・デバイスは、前記マスタ・ユニットから任意のスレーブ・ユニットに直接にビデオ信号を送ることができ、
複数のスマート・デバイスから入力されるコマンドが干渉すると、前記マスタ・ユニットは、任意のスマート・デバイスから受け取った最後のコマンドを実行する車両ビデオシステム。
【請求項２】
少なくとも１つのコマンドを前記マスタ・ユニットに入力することにより、ユーザは、前記メディア・プレーヤをコントロールすることができ、少なくとも１つのコマンドは、前記アプリケーション・プログラムにより前記メディア・プレーヤに送信される、請求項１記載の車両ビデオシステム。
【請求項３】
前記マスタ・ユニットは、車両の座席のヘッド・ユニット部分に搭載されている、請求項２記載の車両ビデオシステム。
【請求項４】
前記オペレーティング・システムは、アンドロイド（Ａｎｄｒｏｉｄ）・オペレーティング・システム、ウィンドウズ（Ｗｉｎｄｏｗｓ）（登録商標）・オペレーティング・システム、ユニックス（Ｕｎｉｘ）（登録商標）・オペレーティング・システム及びマック（Ｍａｃ）・オペレーティング・システムからなるグループから選択される、請求項２記載の車両ビデオシステム。
【請求項５】
前記スレーブ・ユニットは、ユーザから入力されるコマンドにより、当該スレーブ・ユニットをオン・オフし、当該スレーブ・ユニットで再生されるオーディオの音量を増減することができる、請求項２記載の車両ビデオシステム。
【請求項６】
前記メディア・プレーヤで再生されるメディアは、前記スレーブ・ユニット及び前記スマート・デバイスで見ることができる、請求項２記載の車両ビデオシステム。
【請求項７】
前記スマート・デバイスは、スマート・フォン又はスマート・タブレット・デバイスからなるグループから選択される、請求項２記載の車両ビデオシステム。
【請求項８】
前記スマート・デバイスは、ビデオ・ディスプレイを有する、請求項２記載の車両ビデオシステム。
【請求項９】
前記スマート・デバイスは、ビデオ・ディスプレイを有さず、デバイス上にコントロールボタンを有する、請求項２記載の車両ビデオシステム。
【請求項１０】
前記スマート・デバイスは、タッチパネルを更に有する、請求項２記載の車両ビデオシステム。
【請求項１１】
前記マスタ・ユニットは、データのストリームを少なくとも１つのスレーブ・ユニットに送る、請求項２記載の車両ビデオシステム。
【請求項１２】
請求項２に記載の車両ビデオシステムでビデオ信号を表示する方法であって、当該方法は以下を含む：
前記スマート・デバイスからのコマンドを受け取り、
前記コマンドをデコードし、
前記コマンドに応じてビデオ信号を前記スレーブ・ユニットおよびスマート・デバイスに送り、
音量を含む異なる機能をコントロールし、
次のコマンドが送られるのを待機する。
【請求項１３】
請求項２に記載のアプリケーション・プログラムであって、当該アプリケーション・プログラムは以下のステップを含む：
ユーザ・インタフェースを初期化し、
動的画面を初期化し、イベントのためのリスナーを初期化し、
ビデオ・デコーダのカメラ・サービスを得て、
前記メディア・プレーヤからのアナログビデオ信号を得るためにビデオ・デコーダを動作させディジタルビデオ信号を出力し、
前記ビデオ・デコーダにおいて選ばれたビデオ・メディアに電源を切り替え、
前記ビデオ・デコーダからのディジタルビデオ信号を受け取るために画像処理ユニットを立ち上げ、
前記動的画面に前記ディジタルビデオ信号を送り、スクリーンに画面を表示する。
【請求項１４】
請求項１３に記載のアプリケーション・プログラムであって、当該アプリケーション・プログラムは、更に以下のステップを含む：
オーディオ・デコーダを動作させ、
前記メディア・プレーヤからアナログオーディオ信号を取得するために前記オーディオ・デコーダのオーディオに電源を切り替え、
ディジタル・オーディオ信号を出力し、
ディジタル・オーディオ信号を受け取るためにオーディオ処理ユニットを立ち上げ、
出力源に対し適切なフォーマットのオーディオ信号に変換して送信する。
【請求項１５】
請求項１４に記載のアプリケーション・プログラムであって、当該アプリケーション・プログラムは、更に以下のステップを含む：
ボタン又はタッチパネルからユーザのコマンドを受け取り、
カーネル・ドライバに前記ユーザのコマンドを送信し、
ユーザコマンドに基づき、前記ビデオ・デコーダを調整し、
前記ユーザのコマンドは、明るさ、コントラスト、サチレーション、シャープネス及び色相からなるグループから選択されることができる。
【請求項１６】
請求項１５に記載のアプリケーション・プログラムであって、当該アプリケーション・プログラムは、更に以下のステップを含む：
ボタン又はタッチパネルからユーザのコマンドを受け取り、
前記ユーザのコマンドをカーネル・ドライバに送信し、
前記ユーザのコマンドを前記メディア・プレーヤに送信し、
前記ユーザのコマンドを実行し、
前記ユーザのコマンドは、ホーム、再生、一時停止、停止、取り出し、次進む、及び前に戻る、から成るグループから選択されることができる。
【外国語明細書】
Title of the Invention : A VIDEO SYSTEM, A METHOD OF DISPLAYING VIDEO SIGNAL ON THE MASTER UNIT AND SLAVE UNITS, AND AN APPLICATION PROGRAM
FIELD OF THE INVENTION
[0001]
The present invention relates to a video system, a method of displaying video signal on the master unit and slave units, and an application program.
BACKGROUND ART
[0002]
Smart devices use operating systems to control their operations.  Applications developed to enable smart devices to perform different functions.  These application programs run within the operating system environment.  An example of operating systems in a smart device is an operating system known as Android.  In a vehicle system, the driver and the passengers holding a smart device such as a smart phone or a smart tablet are able to consume the rich contents provided by these smart mobile devices.  When occupants in the vehicle want to watch a DVD or playa CD, they will not be able to do it on these devices.
SUMMARY OF THE INVENTION
Technical Problem
[0003]
DVD, CD, and Blue ray discs have reached a significant amount of popularity worldwide over the past decade.  These storage medias can store large amount of information, music and movies.  They can be played on devices that have DVD, CD and Blue ray device slots that can accept DVD, CD or Blue ray media.  Current smart devices do not have DVD, CD or Blue ray slots to accept these media to play.  Even if the system could play DVDs or CDs it still would not solve a common problem a family faces while traveling in a vehicle.  It is common for parents to ride in the front seats and for young kids to ride in the back seats.  Very often a parent would want to control what children watch and listen to.  In other words parents would like to moderate the contents consumed by their kids in the back.  This problem is especially visible in families of large size over extended periods of travel.  
Solution to Problem
[0004]
The invention is the integration of a DVD player, a CD player, a Blue ray disc player, or a combo player with an operating system used in the vehicle system.  More specifically the integration of a DVD player, a CD player, a Blue ray disc player, or a combo player with an operating system used in the vehicle system.
[0005]
In one embodiment the system comprises a panel and a player, housed in a common housing.  As an alternative the panel and the player could be physically separated, housed separately and connected with wires or wirelessly.  An operating system used and the operating system can be any popular operating system such as Android, iOS, Windows used by smart devices on the market.  We create an algorithm and a software application based on the algorithm to interface and control the physical player.
[0006]
A common use case is a person slides a DVD into the player and the system begins to play the DVD.  The viewer will be able to control the player to make it stop, fast forward, etc.
[0007]
Another common use case is a person puts in a CD and the system begins to play the CD.  The viewer will be able to control the player to make it stop, go to the next song, etc.
[0008]
In another embodiment, a master unit with an operating system installed in the head unit compartment which is normally accessible only by occupants in the front seats of the car.  Then a slave unit is installed, behind the headrest for backseat occupants.  There can only be one master unit and there can be more than one slave unit.  The master unit and the slave units are connected wirelessly or by using wires.  The multimedia player would be installed in the master unit only.  The front seat occupant would be in control of the medium, be it a DVD, a CD, or a Blue ray disc, to be played in the system.  The slave units can only watch and listen to the contents and cannot control them.  However the slave units' screen can be turned on or off and the volume can be adjusted by backseat occupants.
[0009]
In yet another embodiment, a master unit and a plurality of slave units are installed in a vehicle.  At least one smart device exists in the vehicle.  The master unit and the slave units are connected wirelessly or by using wires.  The multimedia player would be installed in the master unit only.  The smart device can control the operation of the master unit and slave units.  Furthermore the media that is played on the master unit can be viewed on slave units or on the smart device.  This interface and exchange of media is accomplished by modifying the operating system in the master unit, in the slave unit and in the smart device.  
BRIEF DESCRIPTION OF THE DRAWINGS
[0010]
The features and advantages of the invention will be apparent from the following more detailed description of certain embodiments of the invention and as illustrated in the accompanying drawings, in which:
[Fig.  1]
Fig.  1 shows the system configuration with a master unit, media driver and a smart unit;
[Fig.  2]
Fig.  2 shows the system configuration with a master unit, multiple slave units and multiple smart units;
[Fig.  3]
Fig.  3 shows the flow diagram of how the master unit is controlled to distribute video to slave units; and
[Fig.  4]
Fig.  4 shows the algorithm used to play DVD or blue ray or other video media based on the command received from the user.  
DETAILED DESCRIPTION OF A PREFERRED EMBODIMENT OF THE INVENTION
[0011]
An embodiment of the invention is shown in Fig.  1.  Master unit 50 is a display unit or a smart device that has an operating system installed on it to perform several functions.  These functions do not include playing a DVD media or CD media or Blue Ray media.  Media player 51 is a unit where it may have a DVD drive or a CD drive or a Blue Ray drive or any of the combination of these drives.  Connection 53 between media drive 51 and master unit 50 connects the video signals, audio signals and control signals between the master unit 50 and the media player 51.  Media player 51 can be placed in the proximity of master unit 50 or media player 51 can be placed in a remote location.  If master unit 50 and media player 51 are used in a vehicle then master unit 50 and media player 51 can be either placed next to each other or they can be separated from each other.  Media player 51 should be placed in a location in the vehicle such that it would be fairly easy to access to media player 51 to make it easy for users to change the media when they wish to do so.
[0012]
In another embodiment of the invention media player 51 and master unit 50 are combined into one unit.  When master unit 50 is combined with media player 51, connecting wire 53 is built in master unit 50.  The combined unit is placed in a location within the vehicle such that users can easily access to the unit to insert a media into it or to remove media from it.
[0013]
In either embodiments disclosed above, master unit 50 has display 54 to display the video signal coming from the media player 51.  Master unit 50 also has a plurality of control buttons on master unit 50.  A user can push buttons 55 to control the operation of master unit 50.  When a user provides commands to master unit 50 by using the buttons 55, master unit 50 communicates with media player 51 via control signal lines 53.  When media player 51 receives commands from master unit 50, it performs different acts based on the incoming command.  If the command is a play command then media player 51 starts playing the media and sends the audio and video signals to master unit 50.  Master unit 50 displays the video signal on display unit 54.
[0014]
In another embodiment, display unit 54 has touch control capability and therefore a user can input commands to master unit 50 by touching display unit 54.  In this case buttons 55 do not need to exist.
[0015]
In another embodiment, master unit 50 and media player 51 are controlled by smart device 56.  The smart device 56 is a device that has a program running on it and can perform many different functions.  For example smart device 56 can be a smart telephone or a smart tablet device.  Smart device 56 mayor may not have display 59.  If smart device 56 does not have display 59 then smart device 56 has buttons to send commands to master unit 50.  If smart device 56 has display unit 59 then commands sent to master unit 50 can be entered on the display by using touch screen 58 that is incorporated over display 59.  A user will have the option of controlling master unit 50 either by using buttons 55 or by using smart device 56.  The connection between master unit 50 and smart device 56 is either a wired or wireless connection 57.  Wireless connection 57 can be any communication channel such as Bluetooth, radio frequency connection, infrared connection, WIFI connection or any other suitable method to communicate command signals from smart device 56.  Connection between master unit 50 and smart device 56 is a two way communication channel.  Smart device 56 can send control signals to master unit 50 to control the operation of master unit 50 and media player 51.  If smart device 56 sends a command to master unit 50 such that the user that is using smart device 56 wants smart device 56 to display video, then master unit 50 sends video signals via communication channel 57 to smart device 56.  The smart device 56 displays the video signal coming from master unit 50 on display 59 of smart device 56.  This way, smart device 56 can send commands to master unit 50 and display video signals on display 59 of smart device 56.  Smart device 56 can either send commands only, or display video only or can do both of these control function and display function simultaneously.
[0016]
Fig 2 shows another embodiment of the invention.  In this embodiment there is master unit 1 and slave units 2,3 and 4.  There are three slave units shown in Fig 2.  However the number of slave units can be either 1 or more.  There is no upper limit as to the number of slave units.  The system in Fig 2 also has smart devices 5 and 6.  Only two smart devices are shown in Fig 2.  There may be one or more smart devices in the system.  Master unit 1 is similar to the unit 50 in Fig 1.  System 41 also has media player 40.  Media player 40 has either DVD drive, 15, CD drive 16 or Blue ray drive 17.  Media player 40 can have any combination of these drives.  In Fig 2 master unit 1 and media player 40 are shown as two separate units.  In another embodiment master unit 1 and media player 40 can be combined as one unit.  Slave units 2,3, and 4 have display units on them and they communicate with master unit 1 via communication links 12, 13, and 14 respectively.  These communication links 12, 13, and 14 can be wireless or wired communication links.  They comprise video signals, audio signals and control signals.  If they are wireless links the wireless technology can be Bluetooth technology, radio frequency technology, infrared technology, WIFI connection or any other current or potential wireless technology.  Smart devices 5 and 6 are devices with software programs running on them and they may or may not have display devices on them.  Smart devices 5 and 6 communicate with master unit 1 via communication channel 8 and 9.  Smart device 5 communicates with slave units 2,3, and 4 via communication channels 7, 19 and 60.  Smart device 6 communicates with slave units 2,3, and 4 via communication channels 18, 10 and 11.  Communication links 7, 19, 60, 18, 10 and 11 can be wireless or wired communication links.  They comprise video signals, audio signals and control signals.  If they are wireless links the wireless technology can be Bluetooth technology, radio frequency technology, infrared technology, WIFI connection or any other current or potential wireless technology.  In this embodiment either smart unit 5 or smart unit 6 can control the operation of master unit 1 and slave units 2,3 and 4.  For example smart unit 5 can send a command to master unit 1 to playa media that is placed in media player 40.  Smart unit 5 can send another command to master unit 1 directing master unit 1 to send video signal to slave unit 2.  Smart unit 5 can send a command to master unit 1, asking master unit 1 to send video signal to smart unit 5.  A user that is controlling smart unit 5 can watch the video on smart unit 5's display device.  There are many other combinations of commands that are possible in this configuration.  If smart unit 5 and smart unit 6 send conflicting commands to master unit 1, master unit 1 performs the most recent command received from any smart device.
[0017]
Fig 3 shows another embodiment where a command received from smart devices 5 and 6 are processed by master unit 1.  In Fig 3 in step 30, a user enters a command to smart unit 5 or 6 or to master unit 50.  The command is sent to master unit 1 and evaluated by master unit 1.  In step 31, the command coming from smart unit 5 or 6 or command entered to master unit 50 is decoded.  If the command coming from smart unit 5 or 6 or the command entered to master unit 50 is a media player command then the command is sent to media player in step 22.  If the command in step 21 is not a media player command then other function control operation is performed in step 34.  In step 23, media player 40 executes the command and sends the video signal to the video decoder.  In step 24, the video decoder outputs signal to the panel.  In step 32 master unit 1 sends the video signal to one of slave units 2, 3 or 4 or any combination thereof.  Furthermore in step 33, master unit 1 may send video signals to smart units 5 or 6 or any combination thereof.  Distribution of video signal by master unit 1 depends on the command signal received from smart device 5 or 6 or the command entered to master unit 1.  In step 36, the system waits for the next command.
[0018]
Fig 4 shows the algorithm used to play DVD or blue ray or other video media based on the command received from the user.  In step 60 the system initializes the user interface.  In step 61, the system initializes dynamic surface view and further initializes listeners for events (misspelling in fig A) including keystroke and the touch panel.  In step 62 the system receives video decoder's camera service.  In step 64, the video decoder gets the analog video signal from the media player.  This analog video signal is called CVBS or yc.  The system outputs digital video signal based on the analog video signal input.  This digital video signal is called BT656.  In step 66 the source is switched to the selected video media in the video decoder.  In step 68 the image processing unit is booted up to receive digital video signal from the video decoder.  Boot up means start.  In step 70 the system sends the digital video signals to dynamic surface view and display view on the screen.
[0019]
In step 63, the audio decoder is started to perform its operation.  In step 65 the source is switched to audio in the audio decoder to get analog audio signal from the media player and output digital audio signal.  In step 67 the audio processing unit is booted up to receive digital audio signal.  Boot up means start.  In step 69, system converts and sends audio signal of proper format to output source.  The output source can be earphone, speaker, Bluetooth or any other suitable output device selected by user.
[0020]
In step 71, listeners in the system listen for events.  In step 72 user presses menu button and selects brightness, contrast, saturation, sharpness and hue.  In step 73, video decoder's camera sends the command to kernel.  The command is among brightness, contrast, saturation, sharpness and hue.  There may be additional commands.  In step 74, kernel driver receives command and adjusts video decoder's brightness, contrast, saturation, sharpness and hue depending on the selected command.  This communication is sent over a line by using I2C protocol or any other suitable protocol.
[0021]
In step 75, user presses either home, play, pause, stop, eject, next or previous buttons.  In step 76, OS framework sends one of the home, play, pause, stop, eject, next or previous commands to kernel via media loader library.  In step 77, kernel driver receives command and sends it to media loader by using I2C protocol.  The protocol can be any protocol that can transmit signal from one point to the next.
[0022]
In step 78, user touches the touch panel.  In step 79 the system displays commands specified in step 72 and step 75 in a user interface screen.  In step 80, the system waits for an input for 3 seconds.  If there is no input for 3 seconds or user taps out of the controls VI area, the controls VI disappears in step 81.  If user inputs a command via the VI, the system moves to step 73 or 76 depending on the command.
[0023]
While the foregoing written description of the invention enables one of ordinary skill to make and use what is considered presently to be the best mode thereof, those of ordinary skill will understand and appreciate the existence of variations, combinations, and equivalents of the specific embodiment, method, and examples herein.  The invention should therefore not be limited by the above described embodiment, method, and examples, but by all embodiments and methods within the scope and spirit of the invention.  
[0024]
While various embodiments of the invention have been illustrated and described, numerous variations in the illustrated and described arrangements of features and sequences of operations will be apparent to one skilled in the art based on this disclosure.  Thus, it will be appreciated that various changes can be made therein without departing from the spirit and scope of the invention.
[0025]
The embodiments of the invention in which an exclusive property or privilege is claimed are defined as the following Claims.
CLAIMS
[Claim 1]
A video system comprising:
a master unit;
a media player; 
an operating system that resides in the master unit; and 
an application program that controls the operation of the master unit and the media player, 
wherein a video signal from the media player is sent to the master unit.
[Claim 2]
The video system according to claim 1, wherein the media player resides in the master unit.
[Claim 3]
The video system according to claim 2 further comprising at least one slave unit,
wherein at least one slave unit is connected to the master unit either by wires or wireless connection.
[Claim 4]
The video system according to claim 3 further comprising at least one smart device.
[Claim 5]
The video system according to claim 4, wherein a user can control the media player by entering at least one command to the master unit wherein at least one command is sent to the media player by the application program.
[Claim 6]
The video system according to claim 3, wherein the master unit is installed in the head unit compartment of a vehicle seat.
[Claim 7]
The video system according to claim 3, wherein the operating system is selected from a group consisting of Android operating system, Windows operating system, Unix operating system, and Mac operating system.
[Claim 8]
The video system according to claim 3, wherein the slave unit can accept commands from a user to turn the slave unit on or off and to increase or decrease the volume of the audio played on the slave unit.
[Claim 9]
The video system according to claim 4, wherein the smart device can control the operation of the master unit and the operation of the slave unit.
[Claim 10]
The video system according to claim 4, wherein the media played in the media player can be viewed on the slave device and on the smart device.
[Claim 11]
The video system according to claim 3, wherein the master unit sends a stream of data to at least one slave unit.
[Claim 12]
The video system according to claim 3, wherein the master unit sends a stream of data to at least one smart device .
[Claim 13]
A smart device according to claim 4, wherein the smart device is selected from a group consisting of a smart phone and a smart tablet device.
[Claim 14]
The smart device according to claim 4, wherein the smart device has a video display.
[Claim 15]
The smart device according to claim 4, wherein the smart device does not have a video display and it has control buttons located on it.
[Claim 16]
The smart device according to claim 4, wherein the smart device further comprises a touch panel.
[Claim 17]
A method of displaying video signal on the master unit and slave units included in a video system according to claim 4, the method comprising: 
receiving command from the smart device;
decoding the command; sending video to slave device and the smart device depending upon the command; controlling different functions including volume; and 
waiting for the next command.
[Claim 18]
A application program for a video system according to claim 5, wherein the application program comprising the following steps: 
initializing user interface; 
initializing dynamic surface view and initializing listeners for events; 
getting video decoder's camera service; 
running video decoder to get analog video signal from media player and outputting a digital video signal; switching source to the selected video media in the video decoder; 
booting up the image processing unit to receive digital video signal from video decoder; 
sending digital video signal to dynamic surface view and display the view on the screen.
[Claim 19]
The application program according to claim 18, wherein the application program further comprising the following steps: 
running audio decoder; 
switching source to audio in the audio decoder to get analog audio signal from media player; 
outputting digital audio signal; booting up audio processing unit to receive digital audio signal; and 
converting and sending audio signal of proper format to an output source.
[Claim 20]
The application program according to claim 19, wherein the application program further comprising the following steps: 
receiving a user's command either from a button or from a touch panel; 
sending the user's command to kernel driver; and
adjusting the video decoder based on the user's command,
wherein the user's command can be selected from a group consisting of brightness, contrast, saturation, sharpness and hue.
[Claim 21]
The application program according to claim 20 wherein the application program further comprising the following steps: 
receiving a user's command either from a button or from a touch panel; 
sending the user's command to kernel driver; sending the user's command to the media player; and 
executing the user's command, 
wherein the user's command can be selected from a group consisting of home, play, pause, stop, eject, next and previous.  
1.  Abstract
A vehicle entertainment system includes a media player, a master unit 5, slave units and smart devices 2, 3, 4 to control the operation of master unit 5 and slave units.  A media placed in the media player can be played and shared between master and slave units 2, 3, 4.  The media can be stored in a storage device to be played at a later time.  The media content is shared between master and slave units via cable or wireless communication.
2.  Representative Drawing
Fig.  2
2014099840.tif 000008
2014099840.tif 000009
2014099840.tif 000010
2014099840.tif 000011